(57)【要約】【課題】  コンベヤベルトに荷こぼれを防ぐためのスカート装置が設けられたベルトコンベヤ装置において、搬送される対象物(荷)をコンベヤラインの途中から効率よく振り分けすることのできるベルトコンベヤ装置を提供する。【解決手段】  コンベヤベルト上に対象物を載置して移送させる対象物搬送用のベルトコンベヤ装置において、対象物搬送中のコンベヤベルトからの荷こぼれを防ぐために、コンベヤベルトの搬送面の両側にフェンス状部材を配設し、ベルトコンベヤライン上にある対象物を振り分けるために、フェンス状部材にドア状に開閉するデフレクタ装置を備えるベルトコンベヤ装置とした。【選択図】      図１
2006036494.tif 000002
【特許請求の範囲】
【請求項１】
コンベヤベルト上に対象物を載置して移送する対象物搬送用のベルトコンベヤ装置において、
搬送中の前記コンベヤベルトからの荷こぼれを防ぐために、前記コンベヤベルトの搬送面の両側にフェンス状部材を配設し、
搬送中の前記コンベヤベルト上の対象物を振り分けるために、前記フェンス状部材にドア状に開閉するデフレクタ装置を備える、ことを特徴とするベルトコンベヤ装置。
【請求項２】
請求項１に記載のベルトコンベヤ装置において、
前記デフレクタ装置は、前記コンベヤベルト上の搬送面にある対象物を掻き出すためのスクレーパ部を備える、ことを特徴とするベルトコンベヤ装置。
【請求項３】
請求項２に記載のベルトコンベヤ装置において、
前記デフレクタ装置のスクレーパ部は、前記コンベヤベルトの搬送面に当接させるための弾性部材を備える、ことを特徴とするベルトコンベヤ装置。
【請求項４】
請求項２または３に記載のベルトコンベヤ装置において、
前記デフレクタ装置のスクレーパ部は、二重構造を備える、ことを特徴とするベルトコンベヤ装置。
【請求項５】
請求項１〜４いずれかに記載のベルトコンベヤ装置において、
前記デフレクタ装置は、前記コンベヤベルト上の搬送面に対して略鉛直方向に上下移動する構造を備える、ことを特徴とするベルトコンベヤ装置。
【請求項６】
請求項１〜５いずれかに記載のベルトコンベヤ装置において、
前記デフレクタ装置が開閉する位置にある前記コンベヤベルトの搬送面は、平坦面に保持されるよう構成される、ことを特徴とするベルトコンベヤ装置。
【請求項７】
請求項１〜６いずれかに記載のベルトコンベヤ装置において、
前記デフレクタ装置は、ハンドルの回動機構により開閉動作を行うよう構成される、ことを特徴とするベルトコンベヤ装置。
【発明の詳細な説明】
【技術分野】
【０００１】
本発明は、砂、砕石、石炭、セメントなどのような一般的にはバラ物といわれる粉粒体状貨物などを搬送するのに適するベルトコンベヤ装置に係り、より詳細には、搬送される対象物をコンベヤベルトラインの途中から振り分けることができるベルトコンベヤ装置に関するものである。
【背景技術】
【０００２】
発電所やリサイクル設備等に使用されているベルトコンベヤ装置では、砂、砕石、石炭、鉄鉱石、石膏、セメントなどのような粉粒体状の貨物などを荷として搬送しているが、このような搬送貨物は、輸送中のコンベヤベルトの両側部から相当量がこぼれ落ちたり漏れ出たりすることがよくある。これを防ぐために、一例として、道路の側端に設けられるガードレールやフェンスのような、コンベヤベルトの両側端部にスカート装置といわれる防護壁状の帯状フェンス部材を配備することが、通常よく行われている。
【０００３】
このようなスカート装置は、その断面がスカート断面のような形状をしていて、搬送される対象物を、コンベヤベルト上で横にそれないように安定させるため、コンベヤベルトの両端側ラインに沿って下端辺が当接するように設けられている。例えば、具体的には、ゴムベルトをドラムに巻き付けたスカート装置がある。これは、シュート等の固定部材に垂設されるスカートボードに取付けられ、このスカート装置を垂下してコンベヤベルト上面の両側に当接させることにより、このコンベヤベルトの両側端を閉塞させた構造とするものであり、搬送物をコンベヤベルト上で安定させるために、移動する充分な長距離にわたり、コンベヤベルトの搬送方向に沿って配備されている。
【０００４】
さて、ベルトコンベヤ装置においては、搬送される対象物(荷)をベルトコンベヤラインの途中から振り分けなければならない場合がある。ところが、従来のコンベヤベルトによるラインでは、その両側に沿って上述のようなスカート装置を備えるベルトコンベヤ装置がよく用いられ、このような装置はスカート付コンベヤ装置と呼ばれており、このスカート装置があるがために、これら対象物(荷)をコンベヤラインの途中から振り分けることが難しい構造となっている。
【０００５】
また、ベルトコンベヤ装置の従来技術として、ベルトコンベヤ装置にスクレーパ装置を設けたものが知られている。このスクレーパ装置のあるベルトコンベヤでは、コンベヤライン上の搬送物を掻き出したり振り分けたりするにあたり、コンベヤ搬送面にスクレーパ式の掻き出し部材を押し入れて、コンベヤ横のシュートに落とす方式が取れられている。しかしながら、このような方式の採用は、スカート装置のないベルトコンベヤ装置に限られるものであり、スカート装置付のベルトコンベヤ装置においては、その構造上、全く適用することができない。
【０００６】
そして、従来のベルトコンベヤ装置について、搬送される対象物(荷)の振り分けをするためのスクレーパ式の掻き出し部材などを所定の箇所に配置するときには、コンベヤベルトの搬送面は平らにするのが好ましいが、一方、平らにすると今度は荷こぼれを起こしやすくなるという問題点が生じる。このように、従来のベルトコンベヤ装置では、対象物(荷)を振り分けするに伴い、上述のような長所と短所の両面を考慮して、適正に設計されているものではない。
【０００７】
また、別の従来のベルトコンベヤ装置として、トラフコンベヤを下から押し上げて平らにしてそこにスクレーパを挿入する方式のものがあるが、この場合、スカート装置とコンベヤベルトとの間隔が変化するため、そもそも、スカート装置付ベルトコンベヤを設置することができない。さらに、トラフコンベヤのあらかじめ平らにしてあるベルト面にスクレーパ部材を挿入する方式のものもあるが、スカート装置のあるベルトコンベヤにおいては、その構造上、全く適用することができない。
【０００８】
ベルトコンベヤ装置のスクレーパ部材またはスカート装置の技術分野にかかる特許文献としては、例えば、特開平７−２５４５０号公報、実開平６−６５３３３号公報、特開平７−１０２４８号公報がある。しかしながら、これらの文献で提示されているものは、いずれも上述したような問題点がある。
【特許文献１】特開平７−２５４５０号公報
【特許文献２】実開平６−６５３３３号公報
【特許文献３】特開平７−１０２４８号公報
【発明の開示】
【発明が解決しようとする課題】
【０００９】
本発明は前述の問題点に鑑みてなされたものであり、コンベヤベルトに荷こぼれを防ぐためのスカート装置が設けられたベルトコンベヤ装置において、ベルトコンベヤのラインの途中から搬送される対象物(荷)の振り分けを行うことのできる新規なベルトコンベヤ装置を提供し、ベルトコンベヤを分割することがなく、設置スペース等の制約を受けず、既存コンベヤの改造も安価で可能となるような、実用性／作業効率性／コスト性などに優れるベルトコンベヤ装置を提供することを目的としている。
【課題を解決するための手段】
【００１０】
（１）コンベヤベルト上に対象物を載置して移送する対象物搬送用のベルトコンベヤ装置において、
搬送中の前記コンベヤベルトからの荷こぼれを防ぐために、前記コンベヤベルトの搬送面の両側にフェンス状部材を配設し、
搬送中の前記コンベヤベルト上の対象物を振り分けるために、前記フェンス状部材にドア状に開閉するデフレクタ装置を備えるベルトコンベヤ装置とした。
【００１１】
（２）(１)のベルトコンベヤ装置において、
前記デフレクタ装置は、前記コンベヤベルト上の搬送面にある対象物を掻き出すためのスクレーパ部を備える。
（３）(２)のベルトコンベヤ装置において、
前記デフレクタ装置のスクレーパ部は、前記コンベヤベルトの搬送面に当接させるための弾性部材を備える。
（４）(２)または(２)のベルトコンベヤ装置において、
前記デフレクタ装置のスクレーパ部は、二重構造を備える。
【００１２】
（５）(１)〜(４)いずれかのベルトコンベヤ装置において、
前記デフレクタ装置は、前記コンベヤベルト上の搬送面に対して略鉛直方向に上下移動する構造を備える。
（６）(１)〜(５)いずれかのベルトコンベヤ装置において、
前記デフレクタ装置が開閉する位置にある前記コンベヤベルト上の搬送面は、平坦面に保持されるよう構成される。
（７）(１)〜(６)いずれかのベルトコンベヤ装置において、
前記デフレクタ装置は、ハンドルの回動機構により開閉動作を行うよう構成される。
【発明の効果】
【００１３】
本発明によるベルトコンベヤ装置によれば、コンベヤベルトに荷こぼれを防ぐためのスカート装置が設けられたベルトコンベヤ装置において、ベルトコンベヤのライン途中から搬送される対象物(荷)の振り分けを行いたい場合に好適なベルトコンベヤ装置を提供でき、既存のベルトコンベヤラインを分割することがなく、設置スペース等の制約を受けず、既存のベルトコンベヤの改造も安価で可能となり、ベルトコンベヤ設備全体を複雑化したり大型化したりすることがなく、コスト的な負担が少ない優れたベルトコンベヤ装置を提供することができる。
【発明を実施するための最良の形態】
【００１４】
以下、本発明によるベルトコンベヤ装置にかかる好適な実施の形態について、添付の図面に基づいて説明する。
まず、図１は、本発明の一実施形態にかかるベルトコンベヤ装置１００の基本的構成を模式的に示す外観斜視図である。このベルトコンベヤ装置１００は、コンベヤベルト１０上に対象物(図示せず)を載置して、移送方向ｄ１に従って所定距離を移送させるための対象物搬送用のベルトコンベヤ装置である。この装置１００は、対象物搬送中にコンベヤベルト１０からの荷こぼれを防ぐために、コンベヤベルト１０の搬送面の両側にはフェンス状部材(２０ａと２０ｂ)が配設されており、さらに、ベルトコンベヤのライン上を搬送される対象物を、ベルトの移送方向ｄ１以外の方向に振り分けるために、片方のフェンス状部材２０ｂの所定の側面部位に、開閉ドア状に設けられたデフレクタ装置３０を備える。
【００１５】
このデフレクタ装置３０は、開閉ドア形状の矩形の板状部材からなり、片方のフェンス状部材２０ｂの側面に鉛直に設けられたヒンジ部(回動部)Ｈ１を軸心として回動動作を行うことができ、他方のフェンス状部材２０ａの内側面に当接するまでの開閉角度αの分だけ、開閉自在にその動作を行わせることができる。そして、このデフレクタ装置３０は、開かれた状態では、ヒンジ部Ｈ１との対辺にある側端部３１において、他方のフェンス状部材２０ａの内側面に当接し、対象物が搬送されるベルト走行方向の正面の全域にわたって閉鎖させることができ、これにより対象物の搬送の流れ(進路)を妨げて、別の方向に対象物を移送するように構成されている。
【００１６】
図１(１)におけるベルトコンベヤ装置１００に示すように、このデフレクタ装置３０が閉じられているときには、このデフレクタ装置３０は、フェンス状部材２０ｂ(側壁面部材)の構成の一部となっており、このような閉状態では、デフレクタ装置３０がコンベヤベルト１０上の対象物(図示せず)の進路上の障害壁とはなっていないので、移動(搬送)をなんら妨げることはなく、対象物は、移送方向ｄ１に従ってそのまま予定通りにコンベヤベルト１０上に載せられて直線的に搬送される。
【００１７】
つぎの図１(２)では、このデフレクタ装置３０が開き角度α（例えば４５度程度）で開かれて、フェンス状部材２０ａの内側面に当接しており、対象物が搬送されるベルト走行方向の正面はすべて閉鎖されて、搬送の流れ(進路)を妨げられた状態となっている。このため、対象物が搬送方向ｄ１'に従って初めはコンベヤベルト上を直線的に搬送されてくるものの、デフレクタ装置３０に遮られて本来の走行ルートが妨害され、搬送方向ｄ１'のとおり真っ直ぐ進行することができなくなる。そして、対象物は、デフレクタ装置３０の正面の壁面に沿いながら開放された別の方向（移動方向ｄ２）へ移送されて進むこととなり、デフレクタ装置３０があった元の位置が開かれて移動し、開放箇所２０ｂ'が形成されているので、対象物はその開放箇所２０ｂ'から側方に向けて搬送進路が変更されることとなる。
【００１８】
このようにして、図１(２)において、本発明によるベルトコンベヤ装置１００では、デフレクタ装置３０によって、対象物は本来搬送されるべき方向（方向ｄ１'）から進路が変更され、こんどはベルト搬送方向の横の方向に向かって進められて、フェンス状部材２０ｂの開放箇所２０ｂ'からコンベヤベルト１０の走行軌道を外されて、外部へ排出されることとなるので、結果的には、対象物の搬送ルートが変更されて、その対象物の振り分けをすることができる。
【００１９】
さらに、本発明によるベルトコンベヤ装置１００におけるデフレクタ装置３０は、図１に示すように、スクレーパ部Ｓ３０を備えており、これにより、コンベヤベルト上の搬送面に載置された対象物に接触して、これらを効率的に掻き出すことができる。
また、このスクレーパ部Ｓ３０は、コンベヤベルト１０の搬送面上に確実に当接して掻き出しができるように、直線状の端辺部材の構成を含む当接用の端辺部Ｔ３０を有しており、この端辺部Ｔ３０には、ゴムや樹脂材料からなる弾性部材(図示せず)を配設してもよい。端辺部Ｔ３０に弾性部材を設けることにより、コンベヤベルト１０の搬送面に直接に当接された際に、衝突を緩衝できるとともに、ベルト間との隙間を防ぎ、対象物の掻き出しをより効果的にすることができる。
【００２０】
そしてこのとき、本発明によるベルトコンベヤ装置では、スクレーパ部Ｓ３０とコンベヤベルト１０とが、安定的に隙間なく当接できるように、デフレクタ装置３０が開閉する位置にあるベルトコンベヤラインの搬送面１０ａは、平坦面に保持されるよう構成されるとよい。具体的には、コンベヤベルト１０を支持しながら回転移動させる複数のフラットローラを平坦面上に多く配置したり、コンベヤベルト１０を平面な板状支持部材上を走行させたりすることにより、平坦面に保持することができる。
【００２１】
つぎの図２は、本発明の他の実施形態にかかるベルトコンベヤ装置２００の基本的構成を模式的に示す外観斜視図である。ここでのベルトコンベヤ装置２００は、図１のベルトコンベヤ装置１００と基本的な構成は同じであり、コンベヤベルト１２上の搬送路の両側にフェンス状部材(２２ａと２２ｂ)を備え、片方のフェンス状部材２２ｂの所定箇所にはデフレクタ装置４０がヒンジ部(回動部)Ｈ２を軸心としてドア状に開閉するよう配設されているものの、デフレクタ装置４０の構成が図１のそれとは異なっている。
【００２２】
このベルトコンベヤ装置２００におけるデフレクタ装置４０は、図２に示すように、平板状の２枚の板状部材(４１と４２)を、支持部材(４３ａと４３ｂ)によって、並列(平行)に合わせて配列された二重の構造を備えている。
この第一の板状部材４１は、フェンス状部材２２ｂの一部を構成する部材であって、ヒンジ部Ｈ２により開閉動作をすることができ、スクレーパ部Ｓ４１と端辺部Ｔ４１とを有する。また、第二の板状部材４２は、デフレクタ装置４０が閉じられたときには、フェンス状部材２２ｂの外側に位置しており、対象物の搬送されるコンベヤベルトのルートに何ら影響することはなく、こちらもスクレーパ部Ｓ４２と端辺部Ｔ４２とを有する。
これらの第一の板状部材４１と第二の板状部材４２とはいずれもスクレーパ部を有しており、デフレクタ装置４０は二重のスクレーパ構造を備えている。これにより、コンベヤベルト上の搬送面に載置された対象物をより効率的に確実に掻き出すことができる。
【００２３】
さて、図３Ａおよび図３Ｂは、本発明によるベルトコンベヤ装置の一実施形態にかかる実用的なコンベヤ振り分け装置３００を示す全体の構成説明図であって、図(３１)はその上面図、図(３２)はその側面図である。また、図(３３)はデフレクタ装置６０の懸垂部における詳細図であり、図(３４)はデフレクタ装置６０を開閉させるための誘導アームホルダーの関係箇所における詳細図である。なお、このコンベヤ振り分け装置３００の基本的構成は、図１のベルトコンベヤ装置１００と同じである。
【００２４】
このコンベヤ振り分け装置３００は、コンベヤベルト５０上の対象物(図示せず)を、図面(３１)の左から右へのｄ３方向へ搬送するベルトコンベヤ装置において、デフレクタ装置６０によって、対象物をコンベヤベルト上から排出シート６２の方に搬送ルートを変更させて、対象物を振り分けるための装置である。
コンベヤ振り分け装置３００は、対象物搬送中にコンベヤベルト５０からの荷こぼれを防ぐために、コンベヤベルト１０の搬送面の両側にはフェンス状部材(５５と５５')が配設されており、このコンベヤベルト５０が通るライン上を搬送されていく対象物を、コンベヤベルトの通常の移送方向とは異なる方向に振り分けるために、片方のフェンス状部材５５に、開閉自在なドア状に設けられたデフレクタ装置６０が備えられている。このデフレクタ装置６０は、フェンス状部材５５に設けられたヒンジ部(回動部)６１を軸心として、開閉自在になるように配置され、他方のフェンス状部材５５'に当接するまでの開閉角度βの分だけ開くことができる。
【００２５】
２つのフェンス状部材(５５と５５')間には、コンベヤベルト５０の搬送面を直角に横断するようにハンドル軸６６が据え付けられ、両側にあるハンドル(６７と６７')により、このハンドル軸６６を回動させることができる。
そして、デフレクタ装置６０の上端面には誘導アーム７３が一体的に固着されていて、この誘導アーム７３の一方の端側には接続部７４を有し、この接続部７４はハンドル軸６６とは螺合手段によって接続されており、この接続部７４は、ハンドル(６７と６７')の回動によって、ハンドル軸６６上を固定用部材７５(誘導アームのホルダー用部材)と固定用部材７５'との間で移動することができる。
ここで、この誘導アーム７３は変形しない剛体の材料から成り、ヒンジ部６１を軸心として開閉角度βの分だけのハンドル軸６６上をスムーズに移動できるよう、誘導アーム７３の端側と接続部７４とは、あそびを有する可動式の係合手段によって結合されている。簡易的には、例えば、ピンと長穴との組み合わせなどを用いることもできる。
【００２６】
さらに、図(３１)と図(３２)において、コンベヤ振り分け装置３００は、デフレクタ装置６０を吊り下げるための懸垂部６５では懸垂レール６７を備え、懸垂部６５にあるカムフォロアー部６９が懸垂レール６７上を回動移動するように構成されており、懸垂部６５でデフレクタ装置６０を吊り上げて支持する状態のまま、所定の角度βに従ってデフレクタ装置６０を移動させることができる。なお、この懸垂レール６７は、コンベヤ振り分け装置３００に水平方向に設置された構造部材６６に固定されている。
【００２７】
このとき、コンベヤ振り分け装置３００のコンベヤベルト５０において、デフレクタ装置６０が開閉する位置にある搬送面５０'では、コンベヤベルト５０をその上で回転して移動させるための複数のキャリアローラ５１を、凹凸がなくほぼ平坦面上に配置させるよう構成している。これは、搬送面５０'を平坦面に保持されることにより、デフレクタ装置６０のスクレーパ部が、コンベヤベルト５０上にある対象物を掻き出しやすくするためである。
【００２８】
つぎの図３Ｂにおいて、図(３３)はコンベヤ振り分け装置３００のデフレクタ装置６０の懸垂部６５における詳細図であり、ここでのデフレクタ装置６０は、カムフォロアー部６９−吊下用部材７１−調整ライナー７２−フェンス状部材６３などの構成部材が一体に結合されて構成されており、デフレクタ装置６０は開閉動作にともなって、円弧形状で断面Ｌ字状の懸垂レール６７上を移動される。
【００２９】
ここでのフェンス状部材６３の外面６３'は、コンベヤ振り分け装置３００が作動すると対象物(搬送物)の当たり面となるところであり、また、裏面となるフェンス状部材６３の内面６３''は、複数の介在部材６３'''を介して表面と裏面の関係になるよう一体的に接合されている。そして、フェンス状部材６３の下端部はスクレーパ部であって、ウレタンゴムや樹脂などからなる弾性部材７０が取り付けられており、コンベヤベルト５０に直接接触するように設定がなされる。このとき、弾性部材７０とコンベヤベルト５０面との間隔は、対象物の大きさや種類や流し方などに合わせて、例えば０mm〜３mm程度に調整されるとよい。
【００３０】
また、図３Ｂにおける図(３４)は、コンベヤ振り分け装置３００の誘導アームのホルダー部の詳細図である。デフレクタ装置６０に一体的に固定されている誘導アーム７３は、変形しない鉄製などの板状体から成り、誘導アーム７３の端部側と接続部７４とは、ホルダーガイド７４'内において、相互に移動可能な可動式の係合接続手段によって接続されている。ここでの誘導アームホルダー６８は、内部に弾性部材６８'と突起部材６８''とを有しており、これらにより誘導アーム７３を可動式に保持することができ、誘導アーム７３の角度が変わって接続部７４との接触点が移動したとしても、これを保持することができる機構を備えている。
【００３１】
つぎの図４Ａおよび図４Ｂは、本発明によるベルトコンベヤ装置の一実施形態にかかるコンベヤ振り分け装置４００の全体の構成説明図であって、図(３１)はその上面図、図(３２)はその側面図であり、(３３)はデフレクタ装置８０の懸垂部の詳細図である。なお、この装置４００は、図２に示した二重のスクレーパ構造を備えるベルトコンベヤ装置１００と同じ基本的構成を有している。
【００３２】
ここでのコンベヤ振り分け装置４００は、先に説明した図３Ａおよび図３Ｂのコンベヤ振り分け装置３００と比較するに、基本的には類似する構造を有するものであるので、同じかまたは均等な構成部材については、図３Ａおよび図３Ｂのベルトコンベヤ装置３００に用いたものと同じ符号を附して、重複する説明を省略することとした。そして、デフレクタ装置８０、平坦面保持部材９０などのような新たな構成があるものについて、つぎに説明する。
【００３３】
このコンベヤ振り分け装置４００は、コンベヤベルト５０上の対象物(図示せず)を、図面左から右への方向ｄ４に従って搬送するベルトコンベヤ装置であり、デフレクタ装置８０によって、対象物をコンベヤベルト上から排出シート６２の方に搬送方向を変更して振り分けるのに適するベルトコンベヤ装置である。
このコンベヤ振り分け装置４００は、対象物搬送中にコンベヤベルト５０からの荷こぼれを防ぐために、コンベヤベルト５０の搬送面の両側にはフェンス状部材(５５と５５')が配設されており、このベルトコンベヤ５０のライン上を搬送される対象物を、コンベヤベルトの通常の移送方向とは異なる方向に振り分けるために、片方のフェンス状部材５５に、開閉自在なドア状に設けられたデフレクタ装置８０を備えている。
【００３４】
そして、コンベヤ振り分け装置４００のコンベヤベルト５０において、デフレクタ装置６０が開閉する位置にある搬送面５０'を平坦面に保持して、スクレーパ部を動作しやすくするために、これまでのキャリアローラではなく、平坦面保持装置９０を用いている。この平坦面保持装置９０は、例えば、平坦面(水平面)を保持するために、凹凸変形のし難い材料からなる平板状部材９２を有し、平板状部材９２を複数の支持部材９１で支持するような構成として、コンベヤベルト５０の搬送面５０'を平らにすることにより、コンベヤベルト５０とデフレクタ装置６０との間隔を一定に保つことができる。
【００３５】
図４Ｂの図(４３)は、コンベヤ振り分け装置４００のデフレクタ装置８０を吊り下げて懸垂保持するための懸垂構造を示す詳細図である。ここでのデフレクタ装置８０は、カムフォロアー部６９−吊下用部材７１−調整ライナー７２−第一フェンス状部材８１を含む複数の構成部材が一体的に結合されているのは、図３Ａおよび図３Ｂにおけるデフレクタ装置６０と同じであるが、第一フェンス状部材８１の他に第二フェンス状部材８４を備えているところが、デフレクタ装置６０とは異なる。
【００３６】
このデフレクタ装置８０は、図(４３)に示すように、第一フェンス状部材８１のほかにこれと並列(平行)しては配置された第二フェンス状部材８４を備えている。第二フェンス状部材８４は、外壁面８４'と内部面８４''とを有し、第二フェンス状部材８４の内部面８４''は、連結支持部材８６を介して第一フェンス状部材８１に取り付けられている。そして、この連結支持部材８６はスライド移動機構をもつ可動部８６'を備え、第二フェンス状部材８４の内部面８４''にはスライド移動機構のある可動部８６'を介して連結接続され、第二フェンス状部材８４は第一フェンス状部材８１に対して可動できるよう構成され、例えば移動方向ｄ５のように、コンベヤベルト５０面から鉛直方向において上下に移動させることが可能である。
【００３７】
図(４３)に示すように、第二フェンス状部材８４は、支持腕部８７と支持軸８５とナット部材(８５'と８５'')を含む複数の部材により、上方向から下方向へと吊り下げられる構造となっている。ここで、支持腕部８７は、第一フェンス状部材８１側に水平に固定されているものの、第二フェンス状部材８４は、スライド移動機構を持つ可動部８６'によって相対的な部材相互の移動が可能であり、支持軸８５に固定するためのナット部材(８５'と８５'')によって、その第二フェンス状部材の上下位置を容易に調整して設定することができる。
【００３８】
図(４３)におけるコンベヤ振り分け装置４００のデフレクタ装置８０は、第一フェンス状部材８１と第二フェンス状部材８４とを有する二重構造を備えており、それぞれにスクレーパ部と端辺部とを設定することができるので、二重のスクレーパ構造を備える装置として構成することができる。
また、図(４３)においては、第一フェンス状部材８１の端辺部８１'とコンベヤベルト５０の上面との間には隙間を設けており、第二フェンス状部材８４の下端部には弾性部材８５を配設し、コンベヤベルト５０との間には隙間を設けないようにしている。これはあくまでも一例であって、弾性部材の使用や隙間の設定などは、使用状態や対象物の種類などに合わせて適宜に設定できることはもちろんである。
【００３９】
さらに、コンベヤ振り分け装置４００では、デフレクタ装置８０の下端の弾性部材８５をコンベヤベルト５０に押し付けるときの加減を調整するために、支持軸８５を押し付け用ボルトとして用い、ナット部材(８５'、８５'')を締め込むことによりデフレクタ８０の移動位置や距離を加減してその押し付け加減や隙間の調整が可能となるので、デフレクタ装置８０をスイングさせるときには、動きが軽くなるように隙間のある設定にしておき、振り分け時にはデフレクタ装置８０を下げてコンベヤベルト８０に押し付けるようにすることができる。
【産業上の利用可能性】
【００４０】
本発明によるベルトコンベヤ装置は、振り分け装置として使用される時には、デフレクタ装置はスイング式となり、振り分けしない時には、デフレクタ装置はスイングせずに通常のスカート装置として用いられ、すなわち、振り分けしたいときにのみ、スカート装置の一部がコンベヤベルト上にせり出してデフレクタ装置となる構成である。
このように、本発明によるベルトコンベヤ装置は、スカート装置があるベルトコンベヤ装置において振り分け装置として用いることができ、発電所やリサイクル設備等に使用されている対象物搬送用のベルトコンベヤ装置だけではなく、様々な対象物、種々の設置または使用状態において適用することができる。
【００４１】
そして、本発明によるベルトコンベヤ装置は、ベルトコンベヤのラインの途中から搬送される対象物(荷)の振り分けを、確実で効率的に行うことができ、既存のベルトコンベヤラインを分割したりすることがなく、設置スペース等の制約を受けず、既存のベルトコンベヤの改造も安価で可能となり、ベルトコンベヤ設備全体を複雑化したり大型化したりすることがなく、コスト的な負担が少ない優れたベルトコンベヤ装置を提供することができるので、ベルトコンベヤ産業においての利用可能性は極めて大きい。
【図面の簡単な説明】
【００４２】
【図１】本発明の一実施形態にかかるベルトコンベヤ装置１００の基本的構成を示す外観斜視図であり、図１(１)はデフレクタ装置３０が閉じた状態、図１(２)はデフレクタ装置３０が開いた状態を示し、ここでのデフレクタ装置３０はシングル構造のスクレーパ部Ｓ３０を備える。
【図２】本発明の一実施形態にかかるベルトコンベヤ装置２００の基本的構成を示す外観斜視図であり、図２(１)はデフレクタ装置４０が閉じた状態、図２(２)はデフレクタ装置４０が開いた状態を示し、ここでのデフレクタ装置４０は二重構造のスクレーパ部(Ｓ４０とＳ４１)を備える。
【図３Ａ】本発明によるベルトコンベヤ装置の一実施形態にかかるコンベヤ振り分け装置３００の全体の構成説明図であって、この装置３００は図１の装置１００と同じ基本的構成を有し、図(３１)は装置３００の上面図、図(３２)は装置３００の側面図である。
【図３Ｂ】同じく、図３Ａに示したコンベヤ振り分け装置３００の構成説明図であって、図(３３)はデフレクタ装置６０の懸垂部を示す詳細図であり、図(３４)はデフレクタ装置６０を開閉させるための誘導アームホルダーに関係する箇所を示す詳細図である。
【図４Ａ】本発明によるベルトコンベヤ装置の一実施形態にかかるコンベヤ振り分け装置４００の全体の構成説明図であって、この装置４００は図２の装置２００と同じ基本的構成を有し、図(４１)は装置４００の上面図、図(４２)は装置４００の側面図である。
【図４Ｂ】同じく、図４Ａに示したコンベヤ振り分け装置４００の構成説明図であって、図(４３)はデフレクタ装置の懸垂部を示す詳細図である。
【符号の説明】
【００４３】
１００，２００    ベルトコンベヤ装置
１０    コンベヤベルト
ｄ１，ｄ１'，ｄ２    移動方向(搬送方向、移送方向)
２０ａ，２０ｂ，２２ａ，２２ｂ    フェンス状部材(側面部材)
２０ｂ'    フェンス状部材の開放箇所
３０，４０    デフレクタ装置
Ｈ１，Ｈ２    ヒンジ部(回動部)
α    開閉角度
Ｓ３０，Ｓ４１，Ｓ４２    スクレーパ部
Ｔ３０，Ｔ４１，Ｔ４２    端辺部
４１，４２    デフレクタ装置の板状部材
４３ａ，４３ｂ    板状部材の支持部材
３００，４００    コンベヤ振り分け装置
５０    コンベヤベルト
５０'    搬送面
５１    キャリアローラ
５５，５５'    フェンス状部材
６０    デフレクタ装置
β    開閉角度
６１    ヒンジ部(回動部)
６２    排出シート
６３    フェンス状部材
６３'    フェンス状部材の外面
６３''    フェンス状部材の内面
６４    流調制御板
６５    デフレクタ装置の懸垂部
６６    ハンドル軸
６６ａ，６６ｂ    ハンドル
６７    懸垂レール
６８    誘導アームホルダー
６８'    弾性部材
６８''    突起部材
６９    カムフォロアー部
７０    弾性部材
７１    吊下用部材
７２    調整ライナー
７３    誘導アーム
７４    接続部
７４'    ホルダーガイド
７５，７５'    固定用部材
７６    構造部材
７７，７７'    軸受け部
ｄ３，ｄ４，ｄ５    搬送方向
８０    二重構造を備えるデフレクタ装置
８１    第一フェンス状部材
８４    第二フェンス状部材
８４'    外壁面
８４''    内部面
８５    支持軸
８５'，８５''    ナット部材
８６    連結支持部材
８６'    スライド移動機構
８６    支持腕部
９０    平坦面保持装置
９１    支持部材
９２    平板状部材
９９    平坦面保持部材
【図１】
2006036494.tif 000003
【図２】
2006036494.tif 000004
【図３Ａ】
2006036494.tif 000005
【図３Ｂ】
2006036494.tif 000006
【図４Ａ】
2006036494.tif 000007
【図４Ｂ】
2006036494.tif 000008